(57)【要約】【課題】特別な工具を使わずに、シャープペンシルの先端軸筒のような極細体を用いて、簡易にアジャスト駒の取り付けや取り除きのできるアジャスト駒用連結ピン及びそのアジャスト駒用連結ピンを用いた時計バンド、装身具を提供する。【解決手段】アジャスト駒４ａを他の駒４ｂと連結させる連結ピンであって、アジャスト駒４ａと他の駒４ｂとで形成されるピン穴４０，４３に挿通されるピン本体１と、ピン本体１の中央部に幅広く巻装するように取り付けられた弾性体からなる係止体３３とを備え、その係止体３３がピン穴４０の内壁に圧接することでピン穴４０，４３内で固定され、アジャスト駒４ａと他の駒４ｂとが連結される。また、この連結ピン１の端部を他方のピン穴方向へ押圧することで、連結ピン１は他方のピン穴から抜き出され、アジャスト駒４ａと他の駒４ｂとが分離される。【選択図】　図４
2004000664.tif 000002
【特許請求の範囲】
【請求項１】
アジャスト駒を他の駒と連結させる連結ピンであって、
アジャスト駒と他の駒とのピン穴を一致させ、そのピン穴に挿通されるピン本体と、
ピン本体の中央部に幅広く巻装するように取り付けられた弾性体からなる係止体とを備え、
その係止体がピン穴の内壁に圧接することでピン穴内で固定され、アジャスト駒と他の駒とが連結されるとともに、
この連結ピンの端部を少しの力で他方のピン穴方向へ押圧することで、ピン穴に固定されている連結ピンは、他方のピン穴から抜き出され、アジャスト駒と他の駒とが分離されることを特徴とするアジャスト駒用連結ピン。
【請求項２】
係止体が、複数並列に巻装するように取り付けられた請求項１記載のアジャスト駒用連結ピン。
【請求項３】
係止体が、ピン本体を挟むように対に取り付けられた請求項１記載のアジャスト駒用連結ピン。
【請求項４】
係止体が、ピン本体に規則的または不規則的に散点的に取り付けられた請求項１記載のアジャスト駒用連結ピン。
【請求項５】
請求項１から４いずれかに記載のアジャスト駒用連結ピンを用いた時計バンド。
【請求項６】
請求項１から４いずれかに記載のアジャスト駒用連結ピンを用いた装身具。
【発明の詳細な説明】
【０００１】
【発明の属する技術分野】
本件発明は、駒（ブロック）を組み合わせ、或いは駒と板とを組み合わせて構成される時計バンドや装身具のアジャスト駒において、特別な工具を使わずに簡易にアジャスト駒の取り付けや取り除きのできるアジャスト駒用連結ピン及びそれを用いた時計バンド、装身具の構造に関するものである。
【０００２】
【従来の技術】
例えば、駒を組み合わせて構成される時計バンドや装身具のサイズをその装着部分に合わせて調整するためには、アジャスト駒といわれる調整駒を取り除き、または取り付けることによって行われる。従来、このアジャスト駒を取り除くには、取り除くアジャスト駒と他の駒とを連結させている連結ピンを外さなければならず、この連結ピンを外すために目打ちなどの特別の工具が必要であった。
【０００３】
【発明が解決しようとする課題】
時計バンドや装身具を購入する際、専門店でそのサイズを調整してもらう場合には、このような調整作業は格別の問題がない。しかし、サイズの合わない装身具を個人的に調整しようとする場合には、前記のように工具を使う必要があるために、適切な工具がないとアジャスト駒の取り除き作業ができなく、不便である。また、工具があっても、細かい面倒な作業であるために自分では作業ができず、専門店で調整してもらう場合も多い。
【０００４】
特に、近年のテレビやインターネットなどを利用した通信販売、専門店以外での装身具販売の普及に伴い、未調整の装身具を購入する場合も多くなり、特別の工具を使わずに、簡易に時計バンドや装身具のサイズを調整できる構造が求められている。そこで、本件発明の請求項１〜４は、特別の工具を使わずに簡易にアジャスト駒の取り付け及び取り除きのできるアジャスト駒用連結ピンの構造を提供することを目的とする。また、請求項５と６は、そのアジャスト駒用連結ピンを用いた時計バンド、装身具を提供することを目的とする。
【０００５】
【課題を解決するための手段】
上記目的を達成するために、請求項１記載の発明は、アジャスト駒を他の駒と連結させる連結ピンであって、アジャスト駒と他の駒とのピン穴を一致させ、そのピン穴に挿通されるピン本体と、ピン本体の中央部に幅広く巻装するように取り付けられた弾性体からなる係止体とを備え、その係止体がピン穴の内壁に圧接することでピン穴内で固定され、アジャスト駒と他の駒とが連結されるとともに、この連結ピンの端部を少しの力で他方のピン穴方向へ押圧することで、ピン穴に固定されている連結ピンは、他方のピン穴から抜き出され、アジャスト駒と他の駒とが分離されることを特徴とする。
【０００６】
ここで、「アジャスト駒」とは、時計バンドや装身具のサイズをその装着部分に合わせて調整するための取り除き可能な駒をいう。「他の駒」とは、アジャスト駒であってもよいし、時計バンドや装身具を構成するその他のツナギ駒であってもよい。また、「係止体」はシリコンゴムが好ましいが、その他のゴムやプラスチック、ウレタンなどの高分子系素材も挙げられる。「ピン本体」は、従来通りステンレス鋼などの金属材で構成されている。
【０００７】
請求項２記載の発明は、係止体が複数並列に巻装するように取り付けられたものであり、請求項３記載の発明は、係止体がピン本体を挟むように対に取り付けられたものであり、請求項４記載の発明は、係止体が、ピン本体に規則的または不規則的に散点的に取り付けられたものである。
【０００８】
請求項５記載の発明は、請求項１から４いずれかに記載のアジャスト駒用連結ピンを用いた時計バンドであり、請求項６記載の発明は、請求項１から４いずれかに記載のアジャスト駒用連結ピンを用いた装身具である。
【０００９】
【作用】
請求項１から４に記載の発明は、ピン本体と係止体とを備えたアジャスト駒用連結ピン（以下「連結ピン」）である。ピン本体がアジャスト駒と他の駒とのピン穴を一致させたピン穴内に挿通され、ピン本体に取り付けられた係止体がその弾性力によってピン穴内の内壁に圧接する。これにより、本件発明の連結ピンがピン穴内で固定され、アジャスト駒と他の駒とが連結される。また、こうしてピン穴内に固定されている連結ピンに対し、その一方のピン穴に、例えばシャープペンシルの先端軸筒のような極細体を差し込み、この連結ピンの端部を少しの力で他方のピン穴方向へ押圧することで、ピン穴に固定されている連結ピンは、他方のピン穴から抜き出され、アジャスト駒と他の駒とが分離される。さらに、この連結ピンを一方のピン穴から指などで押し込むようにすると、弾性体からなる係止体は圧縮し、ピン穴内に挿通される。
【００１０】
【発明の実施の形態】
本件発明の実施形態を図面を参照して説明する。図１は、本件発明に係るアジャスト駒用連結ピンの基本構成を示す説明用一部切欠断面図、図２は、変形例１を示す説明用一部切欠断面図、図３は、変形例２を示す説明用一部切欠断面図、図４は、他の実施形態を示す斜視図。図５は、アジャスト駒を含んで構成された時計バンドの一部分を示す斜視図、図６は、同分解した拡大斜視図である。
【００１１】
図１に示すアジャスト駒用連結ピン１０ａ（以下「連結ピン１０ａ」）は、ステンレス鋼で構成された円柱状のピン本体１の両端部にシリコンゴムで構成された係止体３が巻装するように取り付けてある。この構成の連結ピン１０ａの変形例１として、図２に示すアジャスト駒用連結ピン１０ｂ（以下「連結ピン１０ｂ」）は、ピン本体１において、その両端部に切り溝２，２を形成してある。この切り溝２は、図示では角状に切り込んであるが、これに限らず円弧状や底面に歯状の刻みなどを設けてもよい。そして、この切り溝２，２に表面を膨出させたシリコンゴムで構成された係止体３０が強固に巻装されている。
【００１２】
また、変形例２として、図３に示すアジャスト駒用連結ピン１０ｃ（以下「連結ピン１０ｃ」）は、ピン本体１の両端部に表面を膨出させ、且つ外端を小径にしたシリコンゴムで一体構成の係止体３１が、強固に取り付けられ、例えば、接着剤と図示する補強片３２によりピン本体１の両端部に固着してある。
【００１３】
ここで、係止体は、ピン本体１の両端部ではなく、図４（ア）〜（エ）に示すような取り付け方であってもよい。なお、係止体の取り付け方は、これに限られるものではない。図４（ア）は係止体３３をピン本体１の中央部に幅広く巻装したものであり、図４（イ）は係止体３４を複数並列に巻装した例である。この他、図４（ウ）は係止体３５がピン本体１の外周を巻装するのではなく、ピン本体１を挟むように対に取り付けたものであり、図４（エ）は係止体３６を規則的または不規則的に散点的に取り付けたものである。要するに、係止体はピン本体がピン穴に挿通された場合に、ピン穴の内壁に圧接されるようにピン本体に取り付けられていればよい。
【００１４】
図５は、アジャスト駒４を含んで構成された時計バンド５の一部分を示し、このアジャスト駒４の連結方法の一例を図６を参照して説明する。ここでは、連結ピン１０ａを使用して説明するが、連結ピン１０ｂ，１０ｃや図４に示す連結ピンについても同様である。
【００１５】
互いに隣合うアジャスト駒４ａ，４ｂにおいて、一方のアジャスト駒４ａの凸部４１を他方のアジャスト駒４ｂの凹部４２に嵌め合って、それぞれのピン穴４０，４３を一致させて、このピン穴４０，４３内に連結ピン１０ａを通すと、連結ピン１０ａを介して隣合うアジャスト駒４ａ，４ｂは連結する。このようにして、順次隣合うアジャスト駒は連結されて時計バンド５が構成される。
【００１６】
すなわち、連結ピン１０ａにおける係止体３の外径の直径をφＡとし、ピン本体１の直径をφＢとする。また、各アジャスト駒４ａ，４ｂのピン穴４０，４３の直径をφＣとするとき、φＡ＞φＣ＞φＢの関係を満足することにより、係止体３はピン穴４３の内壁に密に圧接し、連結ピン１０ａはピン穴４３内で強固に固定される。その結果、互いに隣合うアジャスト駒４ａ，４ｂは、強固な連結状態を確保できる。
【００１７】
また、連結ピン１０ａの固定されている連結用ピン穴４３の一方に先端が極細体のもの、例えば、シャープペンシルの先端軸筒を差し込み、連結ピン１０ａに対して他方のピン穴方向へ少しの押圧力を加えて、連結ピン１０ａを他方から押し出せばよく、その取り外しが簡易に行えるものである。そして、アジャスト駒の連結を切り離し、装身部分の長さに合うようにアジャスト駒の数を調整できる。
【００１８】
次に互いに隣合うアジャスト駒４ａ，４ｂを連結させるためにそれぞれのピン穴４０，４３を一致させて、この一致させたピン穴４０，４３の一方から連結ピン１０ａの一方を挿通する。その挿通時には、弾性体たるシリコンゴムの係止体３の直径Ａは圧縮するので、指などの軽い力でピン本体１を押し込むだけで挿通できる。挿通された連結ピン１０ａは、係止体３がその弾力性によってピン穴４３の内壁に圧接し、ピン穴４３内で固定される。なお、連結させるアジャスト駒４は、図示する例に限定されるものではなく、各種のアジャスト駒が利用できる。
【００１９】
この実施形態では、アジャスト駒同志の切り離し及び連結について説明してあるが、アジャスト駒とツナギ駒との場合にも応用できること勿論である。
【００２０】
【発明の効果】
請求項１から４に記載の発明によれば、アジャスト駒と他の駒とを連結している連結ピンをピン穴から抜き出し及び挿通する作業には専用工具を必要とせずに例えばシャープペンシルの先端軸筒のような極細体を用いて簡易に行えるため、アジャスト駒の調整が誰にでも容易にできる。また、連結ピンはピン穴内で係止体によってしっかりと固定され、連結ピンがピン穴から脱落することはなく、アジャスト駒と他の駒とは確実に連結できる。
【００２１】
請求項５及び６記載の発明によれば、アジャスト駒の取り付け及び取り除きが簡易に行え、そのサイズの調整が容易な時計バンド、装身具を提供することができる。
【図面の簡単な説明】
【図１】本件発明に係るアジャスト駒用連結ピンの基本構成を示す説明用一部切欠断面図。
【図２】変形例１を示す説明用一部切欠断面図。
【図３】変形例２を示す説明用一部切欠断面図。
【図４】（ア）他の実施形態を示す斜視図。
（イ）同他の実施形態を示す斜視図。
（ウ）同他の実施形態を示す斜視図。
（エ）同他の実施形態を示す斜視図。
【図５】アジャスト駒を含んで構成された装身具の一部分を示す斜視図。
【図６】同分解した拡大斜視図。
【符号の説明】
１　　　　　ピン本体
３３　　　　　係止体
４ａ，４ｂ　アジャスト駒
１０ｂ　　　　アジャスト駒用連結ピン
４０，　４３　連結用ピン穴
【図１】
2004000664.tif 000003
【図２】
2004000664.tif 000004
【図３】
2004000664.tif 000005
【図４】
2004000664.tif 000006
【図５】
2004000664.tif 000007
【図６】
2004000664.tif 000008